(57)【要約】【課題】挿入部の先端にバルーンが取り付けられた内視鏡挿入部を挿入補助具から容易に抜き去ることができる内視鏡装置を提供する。【解決手段】本発明は、オーバーチューブ５０の先端部５８をスポンジ製にして容易に拡径させるようにした。オーバーチューブ５０から挿入部１２のみを抜去する場合、まず、第１バルーン３０のエアを抜き第１バルーンを収縮させる。この後、オーバーチューブ５０を固定し挿入部１２を抜去していくと、バンド４５がスポンジ製先端部５８に衝突し、スポンジ製先端部５８が容易に拡径する。これにより、バンド４５及び第１バルーン３０がスポンジ製先端部５８を容易に通過し、挿入部１２がオーバーチューブ５０から容易に抜ける。【選択図】      図６
2005211217.tif 000002
【特許請求の範囲】
【請求項１】
バルーンが挿入部の先端部に取り付けられた内視鏡と、該内視鏡の前記挿入部が挿入され該挿入部の体腔内への挿入を補助する挿入補助具とを備えた内視鏡装置において、
前記挿入補助具の先端部を拡径可能な拡径構造に構成し、該先端部を拡径させることにより、前記挿入補助具の先端から突出された前記挿入部のバルーンを挿入補助具から抜き去り可能としたことを特徴とする内視鏡装置。
【請求項２】
前記拡径構造は、前記挿入補助具の先端部を軟性部材で構成することにより拡径可能としたことを特徴とする請求項１に記載の内視鏡装置。
【請求項３】
前記拡径構造は、前記挿入補助具の先端部に切り込みを形成することにより拡径可能としたことを特徴とする請求項１に記載の内視鏡装置。
【請求項４】
バルーンが挿入部の先端部に係止部材によって取り付けられた内視鏡と、該内視鏡の前記挿入部が挿入され該挿入部の体腔内への挿入を補助する挿入補助具とを備えた内視鏡装置において、
前記係止部材の表面を、前記挿入補助具に対する前記挿入部の抜き方向の上流側から下流側に向かった傾斜面に形成することにより、前記挿入補助具の先端から突出された前記挿入部のバルーンを挿入補助具から抜き去り可能としたことを特徴とする内視鏡装置。
【請求項５】
バルーンが挿入部の先端部に係止部材によって取り付けられた内視鏡と、該内視鏡の前記挿入部が挿入され該挿入部の体腔内への挿入を補助する挿入補助具とを備えた内視鏡装置において、
前記係止部材を前記挿入部の外周面に形成された凹条部に装着することにより該係止部材と挿入部の外周面とを略面一にすることにより、前記挿入補助具の先端から突出された前記挿入部のバルーンを挿入補助具から抜き去り可能としたことを特徴とする内視鏡装置。
【発明の詳細な説明】
【技術分野】
【０００１】
本発明は内視鏡装置に係り、特に挿入部先端にバルーンが取り付けられた内視鏡と、この内視鏡の挿入部を体腔内に案内する挿入補助具とを有する内視鏡装置に関する。
【背景技術】
【０００２】
内視鏡の挿入部を小腸などの深部消化管に挿入する場合、単に挿入部を押し入れていくだけでは、複雑な腸管の屈曲のために挿入部の先端に力が伝わりにくく、深部への挿入は困難である。そこで、内視鏡の挿入部に、オーバーチューブ又はスライディングチューブと称される挿入補助具を装着させて体腔内に挿入し、この挿入補助具によって挿入部をガイドすることにより、挿入部の余分な屈曲や撓みを防止する内視鏡装置が提案されている（例えば、特許文献１）。
【０００３】
また、従来の内視鏡装置には、内視鏡挿入部の先端部にバルーンを設けるとともに挿入補助具の先端部にバルーンを設けたダブルバルーン式の内視鏡装置が知られている（例えば、特許文献２及び特許文献３）。
【０００４】
ところで、挿入補助具を使用した内視鏡装置の処置として、挿入補助具及び内視鏡挿入部を体腔内の目的部位まで挿入した後、腸管の狭窄部位を広げるバルーンダイレータや腸管の狭窄部位を観察するための造影剤を注入する造影チューブ等の処置具を挿入し、所望の処置を行いたい場合がある。しかしながら、これらの処置具は比較的大径物なので、内視鏡挿入部に挿通配置されている鉗子チャンネルを利用して挿入することはできない。このため、挿入補助具を体腔内に留置した状態で内視鏡挿入部のみを抜き去り、挿入補助具をガイドとして、これらの処置具を挿入することが望まれていた。
【特許文献１】特開平１０−２４８７９４号公報
【特許文献２】特開２００１−３４０４６２号公報
【特許文献３】特開２００２−３０１０１９号公報
【発明の開示】
【発明が解決しようとする課題】
【０００５】
しかしながら、挿入補助具の先端部は、特許文献２に開示されているように、腸壁の巻き込みや挟み込みを防止するため先端が絞られた形状に形成されているため、内視鏡挿入部の抜き去り時に、内視鏡挿入部のバルーンが挿入補助具の先端部に引っ掛かり、内視鏡挿入部を挿入補助具から抜き去ることは困難であった。
【０００６】
本発明はこのような事情に鑑みてなされたもので、挿入部の先端にバルーンが取り付けられた内視鏡挿入部を挿入補助具から容易に抜き去ることができる内視鏡装置を提供することを目的とする。
【課題を解決するための手段】
【０００７】
請求項１に記載の発明は、前記目的を達成するために、バルーンが挿入部の先端部に取り付けられた内視鏡と、該内視鏡の前記挿入部が挿入され該挿入部の体腔内への挿入を補助する挿入補助具とを備えた内視鏡装置において、前記挿入補助具の先端部を拡径可能な拡径構造に構成し、該先端部を拡径させることにより、前記挿入補助具の先端から突出された前記挿入部のバルーンを挿入補助具から抜き去り可能としたことを特徴とする。
【０００８】
請求項１に記載の発明によれば、挿入補助具の先端部を、拡径構造に構成したので、挿入補助具の先端から突出されたバルーンを有する挿入部を、挿入補助具から容易に抜き去ることができる。
【０００９】
請求項２に記載の発明によれば、前記拡径構造は、前記挿入補助具の先端部を軟性部材で構成することにより拡径可能としたことを特徴としている。すなわち、挿入補助具の先端部の絞り部のみの材質をゴム、スポンジ等の軟性部材とすることにより、先端部が拡径し易くなるので、挿入補助具の先端から突出されたバルーンを有する挿入部を、挿入補助具から容易に抜き去ることができる。
【００１０】
請求項３に記載の発明によれば、前記目的を達成するために、前記拡径構造は、前記挿入補助具の先端部に切り込みを形成することにより拡径可能としたことを特徴としている。挿入補助具の先端部の絞り部に切り込みを形成して柔軟性を上げることにより、先端部が拡径し易くなるので、バルーンを容易に抜き去ることができる。
【００１１】
請求項４に記載の発明は、前記目的を達成するために、バルーンが挿入部の先端部に係止部材によって取り付けられた内視鏡と、該内視鏡の前記挿入部が挿入され該挿入部の体腔内への挿入を補助する挿入補助具とを備えた内視鏡装置において、前記係止部材の表面を、前記挿入補助具に対する前記挿入部の抜き方向の上流側から下流側に向かった傾斜面に形成することにより、前記挿入補助具の先端から突出された前記挿入部のバルーンを挿入補助具から抜き去り可能としたことを特徴とする。前記係止部材の表面を、抜去方向の上流側から下流側に向かって高さが高くなる傾斜面に形成して、前記バルーンを挿入補助具から抜き去り可能としている。すなわち、挿入部を抜去方向に引っ張ると、挿入補助具の先端が係止部材の傾斜面に乗り上げてバルーンが先端部の内側に潜り込むので、挿入部を挿入補助具から容易に抜き去ることができる。
【００１２】
請求項５に記載の発明は、前記目的を達成するために、バルーンが挿入部の先端部に係止部材によって取り付けられた内視鏡と、該内視鏡の前記挿入部が挿入され該挿入部の体腔内への挿入を補助する挿入補助具とを備えた内視鏡装置において、前記係止部材を前記挿入部の外周面に形成された凹条部に装着することにより該係止部材と挿入部の外周面とを略面一にすることにより、前記挿入補助具の先端から突出された前記挿入部のバルーンを挿入補助具から抜き去り可能としたことを特徴とする。挿入部を抜去方向に引っ張ると、挿入補助具の先端部は、抜去を邪魔する係止部材に衝突しないので、挿入部を挿入補助具から容易に抜き去ることができる。また、係止部材が装着される挿入部の外周面に凹条部を形成することによって、係止部材の装着後においても挿入部の外径が太くならず、また、バルーン取付位置の目印にもなる。
【発明の効果】
【００１３】
本発明に係る内視鏡装置によれば、挿入補助具の先端部を拡径構造に構成したので、挿入補助具の先端から突出された挿入部のバルーンを挿入補助具から容易に抜き去ることができる。
【発明を実施するための最良の形態】
【００１４】
以下、添付図面に従って本発明に係る内視鏡装置の好ましい実施の形態について説明する。
【００１５】
図１は、本発明の実施の形態に係る内視鏡装置のシステム構成図が示されている。同図に示す内視鏡装置は内視鏡１０、オーバーチューブ（挿入補助具に相当）５０、及びバルーン制御装置１００によって構成される。
【００１６】
内視鏡１０は、手元操作部１４と、この手元操作部１４に連設された挿入部１２とを備える。手元操作部１４には、ユニバーサルケーブル１５が接続され、ユニバーサルケーブル１５の先端には、不図示のプロセッサや光源装置に接続されるコネクタ（不図示）が設けられている。
【００１７】
手元操作部１４には、術者によって操作される送気・送水ボタン１６、吸引ボタン１８、シャッターボタン２０が並設されるとともに、一対のアングルノブ２２、２２、及び鉗子挿入部２４がそれぞれ所定の位置に設けられている。さらに、手元操作部１４には、第１バルーン３０にエアを送気したり、バルーン３０からエアを吸引したりするためのバルーン送気口２６が設けられている。
【００１８】
挿入部１２は軟性部３２、湾曲部３４、及び先端硬質部３６によって構成される。湾曲部３４は複数の節輪を湾曲可能に連結して構成され、手元操作部１４に設けられた一対のアングルノブ２２、２２の回動操作によって遠隔的に湾曲操作される。これにより、先端部３６の先端面３７を所望の方向に向けることができる。
【００１９】
図２に示すように、先端部３６の先端面３７には対物光学系３８、照明レンズ４０、送気・送水ノズル４２、鉗子口４４等が所定の位置に設けられる。また、先端部３６の外周面には、空気供給吸引口２８が開口され、この空気供給吸引口２８は、挿入部１２内に挿通された内径０．８mm程度のエア供給チューブ（不図示）を介して図１のバルーン送気口２６に連通される。したがって、バルーン送気口２６にエアを送気することによって先端部３６の空気供給吸引口２８からエアが吹き出され、逆にバルーン送気口２６からエアを吸引することによって空気供給吸引口２８からエアが吸引される。
【００２０】
図１の如く挿入部１２の先端部３６には、ゴム等の弾性体からなる第１バルーン３０が着脱自在に装着される。第１バルーン３０は図３の如く、中央の膨出部３０ｃと、その両端の取付部３０ａ、３０ｂとから形成され、膨出部３０ｃの内側に空気供給吸引口２８が位置されるようにして先端部３６側に取り付けられる。取付部３０ａ、３０ｂは、先端部３６の径よりも小径に形成され、その弾性力をもって先端部３６に密着された後、図４及び図５に示すリング状のバンド（係止部材）４５、４５によって先端部３６の外周面に強固に嵌着される。
【００２１】
先端部３６に装着された第１バルーン３０は、図２に示した空気供給吸引口２８から供給されるエアによって膨出部３０ｃが略球状に膨張される。逆に、空気供給吸引口２８からエアが吸引されることにより、膨出部３０ｃが収縮されて先端部３６の外周面に密着される。
【００２２】
図１に示したオーバーチューブ５０は、チューブ本体５１と把持部５２とから形成される。チューブ本体５１は図４に示すように筒状に形成され、挿入部１２の外径よりも僅かに大きい内径を有している。また、チューブ本体５１は、可撓性のウレタン系樹脂の成形品であり、その外周面には潤滑コートが被覆され、内周面にも潤滑コートが被覆されている。チューブ本体５１には、硬質の把持部５２が水密状態で嵌合され、チューブ本体５１に対して把持部５２が着脱自在に連結されている。なお、挿入部１２は、把持部５２の基端開口部５２Ａからチューブ本体５１に向けて挿入される。
【００２３】
図１の如くチューブ本体５１の基端側には、バルーン送気口５４が設けられる。バルーン送気口５４には、内径１mm程度のエア供給チューブ５６が接続され、このチューブ５６は、チューブ本体５１の外周面に接着されて、図４の如くチューブ本体５１の先端部まで延設されている。
【００２４】
チューブ本体５１の先端部５８は、腸壁の巻き込み等を防止するために先細形状に形成される。また、チューブ本体５１の先端部５８の基端側には、ゴム等の弾性体から成る第２バルーン６０が装着されている。第２バルーン６０は、チューブ本体５１が貫通した状態に装着されており、中央の膨出部６０ｃと、その両端の取付部６０ａ、６０ｂとから構成されている。先端側の取付部６０ａは、膨出部６０ｃの内部に折り返され、その折り返された取付部６０ａはＸ線造影糸６２が巻回されてチューブ本体５１に固定されている。基端側の取付部６０ｂは、第２バルーン６０の外側に配置され、糸６４が巻回されてチューブ本体５１に固定されている。
【００２５】
膨出部６０ｃは、自然状態（膨張も収縮もしていない状態）で略球状に形成され、その大きさは、第１バルーン３０の自然状態（膨張も収縮もしていない状態）での大きさよりも大きく形成されている。したがって、第１バルーン３０と第２バルーン６０に同圧でエアを送気すると、第２バルーンの膨出部６０ｃの外径は、第１バルーン３０の膨出部３０ｃの外径よりも大きくなる。例えば、第１バルーン３０の外径がφ２５mmであった際に第２バルーン６０の外径は、φ５０mmになるように構成されている。
【００２６】
前述したチューブ５６は、膨出部６０ｃの内部において開口され、空気供給吸引口５７が形成されている。したがって、バルーン送気口５４からエアを送気すると、空気供給吸引口５７からエアが吹き出されて膨出部６０ｃが膨張される。また、バルーン送気口５４からエアを吸引すると、空気供給吸引口５７からエアが吸引され、第２バルーン６０が収縮される。
【００２７】
ところで、チューブ本体５１の先端部５８は、図５に示すように軟性部材であるスポンジによって作られている。このスポンジ製先端部５８は、先が狭まった管状に形成されているが、図６の如くチューブ本体５１から内視鏡挿入部１２を抜き去る際に、バンド４５による押圧作用によって容易に弾性変形して拡径する。
【００２８】
一方、図１のバルーン制御装置１００は、第１バルーン３０にエア等の流体を供給・吸引するとともに、第２バルーン６０にエア等の流体を供給・吸引する装置である。バルーン制御装置１００は、不図示のポンプやシーケンサ等を備えた装置本体１０２と、リモートコントロール用のハンドスイッチ１０４とから構成される。
【００２９】
装置本体１０２の前面パネルには、電源スイッチＳＷ１、停止スイッチＳＷ２、第１バルーン３０用の圧力計１０６、第２バルーン６０用の圧力計１０８が設けられる。また、装置本体１０２の前面パネルには、第１バルーン３０へのエア供給・吸引を行うチューブ１１０、及び第２バルーン６０へのエア供給・吸引を行うチューブ１２０が取り付けられる。各チューブ１１０、１２０の途中にはそれぞれ、第１バルーン３０、第２バルーン６０が破損した時に、第１バルーン３０、第２バルーン６０から逆流してきた体液を溜めるための液溜めタンク１３０、１４０が設けられる。
【００３０】
一方、ハンドスイッチ１０４には、装置本体１０２側の停止スイッチＳＷ２と同様の停止スイッチＳＷ３、第１バルーン３０の加圧／減圧を支持するＯＮ／ＯＦＦスイッチＳＷ４、第１バルーン３０の圧力を保持するためのポーズスイッチＳＷ５、第２バルーン６０の加圧／減圧を支持するＯＮ／ＯＦＦスイッチＳＷ６、及び第２バルーン６０の圧力を保持するためのポーズスイッチＳＷ７が設けられている。このハンドスイッチ１０４は、ケーブル１５０を介して装置本体１０２に電気的に接続されている。
【００３１】
このように構成されたバルーン制御装置１００は、第１バルーン３０及び第２バルーン６０にエアを供給して膨張させるとともに、そのエア圧を一定値に制御して第１バルーン３０及び第２バルーン６０を膨張した状態に保持する。また、第１バルーン３０及び第２バルーン６０からエアを吸引して収縮させるとともに、そのエア圧を一定値に制御して第１バルーン３０及び第２バルーン６０を収縮した状態に保持する。
【００３２】
次に、内視鏡装置の操作方法について図７（ａ）〜（ｈ）に従って説明する。
【００３３】
まず、図７（ａ）に示すように、オーバーチューブ５０を挿入部１２に被せた状態で、挿入部１２を腸管（例えば十二指腸下行脚）７０内に挿入する。このとき、第１バルーン３０及び第２バルーン６０を収縮させておく。
【００３４】
次に、図７（ｂ）に示すように、オーバーチューブ５０の先端５８が腸管７０の屈曲部まで挿入された状態で、第２バルーン６０にエアを供給して膨張させる。これにより、第２バルーン６０が腸管７０に係止され、オーバーチューブ５０の先端５８が腸管７０に固定される。
【００３５】
次に、図７（ｃ）に示すように、内視鏡１０の挿入部１２のみを腸管７０の深部に挿入する。そして、図７（ｄ）に示すように、第１バルーン３０にエアを供給して膨張させる。これにより、第１バルーン３０が腸管７０に固定される。その際、第１バルーン３０は、膨張時の大きさが第２バルーン６０よりも小さいので、腸管７０にかかる負担が小さく、腸管７０の損傷を防止できる。
【００３６】
次いで、第２バルーン６０からエアを吸引して第２バルーン６０を収縮させた後、図７（ｅ）に示すように、オーバーチューブ５０を押し込み、挿入部１２に沿わせて挿入する。そして、オーバーチューブ５０の先端５８を第１バルーン３０の近傍まで押し込んだ後、図７（ｆ）に示すように、第２バルーン６０にエアを供給して膨張させる。これにより、第２バルーン６０が腸管７０に固定される。すなわち、腸管７０が第２バルーン６０によって把持される。
【００３７】
次に、図７（ｇ）に示すように、オーバーチューブ５０を手繰り寄せる。これにより、腸管７０が略真っ直ぐに収縮していき、オーバーチューブ５０の余分な撓みや屈曲は無くなる。なお、オーバーチューブ５０を手繰り寄せる際、腸管７０には第１バルーン３０と第２バルーン６０の両方が係止しているが、第１バルーン３０の摩擦抵抗は第２バルーン６０の摩擦抵抗よりも小さい。したがって、第１バルーン３０と第２バルーン６０が相対的に離れるように動いても、摩擦抵抗の小さい第１バルーン３０が腸管７０に対して摺動するので、腸管７０が両方のバルーン３０、６０によって引っ張られて損傷することはない。
【００３８】
次いで、図７（ｈ）に示すように、第１バルーン３０からエアを吸引して第１チューブ３０を収縮させる。そして、挿入部１２の先端部３６を可能な限り腸管７０の深部に挿入する。すなわち、図７（ｃ）に示した挿入操作を再度行う。これにより、挿入部１２の先端部３６を腸管７０の深部に挿入することができる。挿入部１２をさらに深部に挿入する場合には、図７（ｄ）に示したような固定操作を行った後、図７（ｅ）に示したような押し込み操作を行い、さらに図７（ｆ）に示したような把持操作、図７（ｇ）に示したような手繰り寄せ操作、図７（ｈ）に示したような挿入操作を順に繰り返し行えばよい。これにより、挿入部１２を腸管７０の深部にさらに挿入することができる。
【００３９】
次に、オーバーチューブ５０を腸管７０の目的部位に留置して、オーバーチューブ５０から挿入部１２のみを抜去する場合、まず、第１バルーン３０のエアを抜き第１バルーンを収縮させる。この後、オーバーチューブ５０を固定し挿入部１２を抜去していくと、図６の如くバンド４５がスポンジ製先端部５８に衝突し、その力によってスポンジ製先端部５８が容易に変形し拡径する。これにより、バンド４５及び第１バルーン３０がスポンジ製先端部５８を容易に通過し、挿入部１２がオーバーチューブ５０から容易に抜ける。このように、先端部５８をスポンジ製とする拡径構造をオーバーチューブ５０に持たせることにより、オーバーチューブ５０の先端から突出された第１バルーン３０を有する挿入部１２を、オーバーチューブ５０から容易に抜き去ることができる。また、スポンジに代えてゴム等の軟性部材を適用しもよい。
【００４０】
図８（Ａ）、（Ｂ）は、オーバーチューブ５０の先端部５８を拡径構造にした他の実施の形態であり、同図によれば、先端部５８に切り込み５９、５９…を入れて先端部５８の拡径方向の弾性変形を容易にしている。切り込み５９は先端部５８の周囲に等間隔で４カ所形成されるとともにオーバーチューブ５０の軸方向に沿って形成されている。これにより、図６に示したバンド４５が図８の先端部５８に衝突すると、先端部５８は挿入部１２の抜去方向の力を受けて、図８（Ａ）中で矢印で示す拡径方向に弾性変形し、バンド４５及び第１バルーン３０の通過を許容する。よって、オーバーチューブ５０から挿入部１２を容易に抜去することができる。
【００４１】
図９は、オーバーチューブ５０の先端部５８を拡径構造にした他の実施の形態であり、同図によれば、先端部５８は断面円形状に形成されている。これにより、図１０の如く先端部５８にバンド４５が衝突しバンド４５から抜去方向の力が先端部５８に作用すると、バンド４５は、先端部５８の円形面にガイドされ先端部５８内側に潜り込み、また、先端部５８はその力によって図１０の矢印で示す拡径方向に容易に弾性変形する。これにより、バンド４５及び第１バルーン３０の通過を許容する。よって、オーバーチューブ５０から挿入部１２を容易に抜去することができる。
【００４２】
図１１は、第１バルーン３０を挿入部１２に嵌着するバンド４５を改良した実施の形態であり、図１１、図１２に示すようにバンド４５の表面を、抜去方向の上流側から下流側に向かって高さが高くなる傾斜面４６Ａに形成することにより、オーバーチューブ５０の先端部５８がバンド４５及び第１バルーン３０を乗り越え易くしている。すなわち、図１３に示すように、バンド４５が先端部５８に衝突し、先端部５８にバンド４５から抜去方向の力が作用すると、バンド４５は傾斜面４５Ａをガイドとして先端部５８の内側に潜り込み、また、先端部５８はその力によって図１３の矢印で示す拡径方向に弾性変形する。これにより、バンド４５及び第１バルーン３０の通過を許容する。よって、オーバーチューブ５０から挿入部１２を容易に抜去することができる。
【００４３】
図１４は、挿入部１２を改良した実施の形態であり、挿入部１２の外周面のバンド嵌着位置に凹状部１３、１３を形成し、この凹状部１３、１３にバンド４５を嵌着することにより、バンド４５、４５と挿入部１２の外周面とを略面一にしている。これにより、バンド４５が先端部５８に衝突することなくバンド４５が先端部５８を通過するので、オーバーチューブ５０から挿入部１２を容易に抜去することができる。また、挿入部１２に凹状部１３を形成することによって、バンド４５の装着後においても挿入部１２の外径が太くならず、また、バルーン取付位置の目印にもなる。
【００４４】
なお、実施の形態では、挿入補助具として、先端にバルーン５０を有するオーバーチューブ５０について説明したが、これに限定されるものではなく、大腸鏡に使用されるスライディングチューブ（バルーンを有しない挿入補助具）に実施の形態の拡径構造を適用してもよい。
【図面の簡単な説明】
【００４５】
【図１】本発明の実施の形態に係る内視鏡装置のシステム構成図
【図２】内視鏡の挿入部の先端部を示す斜視図
【図３】第１バルーンを装着した挿入部の先端硬質部を示す斜視図
【図４】挿入部を挿通させたオーバーチューブの先端部分を示す側断面図
【図５】オーバーチューブ側に拡径構造を持たせた第１の実施の形態を示す要部拡大断面図
【図６】図５に示した拡径構造による挿入部抜去状況を示した説明図
【図７】図１に示した内視鏡装置の操作方法を示す説明図
【図８】オーバーチューブ側に拡径構造を持たせた第２の実施の形態を示す説明図
【図９】オーバーチューブ側に拡径構造を持たせた第３の実施の形態を示す要部拡大断面図
【図１０】図９に示した拡径構造による挿入部抜去状況を示した説明図
【図１１】挿入部側に拡径構造を持たせた第１の実施の形態を示す要部拡大断面図
【図１２】図１１に示したバンドの拡大斜視図
【図１３】図１１に示した拡径構造による挿入部抜去状況を示した説明図
【図１４】挿入部側に拡径構造を持たせた第２の実施の形態を示す要部拡大断面図
【符号の説明】
【００４６】
１０…内視鏡、１２…挿入部、１４…手元操作部、２６…バルーン送気口、２８…空気供給吸引口、３０…第１バルーン、３６…先端部、４５…バンド、５０…オーバーチューブ、５１…チューブ本体、５２…把持部、５８…先端部、６０…第２バルーン、１００…バルーン制御装置、１０２…装置本体、１０４…ハンドスイッチ
【図１】
2005211217.tif 000003
【図２】
2005211217.tif 000004
【図３】
2005211217.tif 000005
【図４】
2005211217.tif 000006
【図５】
2005211217.tif 000007
【図６】
2005211217.tif 000008
【図７】
2005211217.tif 000009
【図８】
2005211217.tif 000010
【図９】
2005211217.tif 000011
【図１０】
2005211217.tif 000012
【図１１】
2005211217.tif 000013
【図１２】
2005211217.tif 000014
【図１３】
2005211217.tif 000015
【図１４】
2005211217.tif 000016